(57)【要約】【課題】室外機の能力を有効に利用することができる空気調和装置を得る。【解決手段】対象空間を空気調和する運転を行う複数の室内機２と、複数の室内機２のうち、運転に係る室内機２に室外機能力を供給する室外機１とを配管接続して冷媒回路を構成し、室内機２の運転を監視し、運転中及び運転を行おうとする室内機２における運転能力の合計である合計運転能力が室外機能力を超えるかどうかを判断する処理を行う冷媒使用量監視部５ａと、冷媒使用量監視部５ａが合計運転能力が室外機能力を超えるものと判断すると、合計運転能力が室外機能力となるように室外機能力の配分に係る処理を行う冷媒分配量制御部５ｃとを有する制御装置５を備えるものである。【選択図】図１
2014219152.tif 000002
【特許請求の範囲】
【請求項１】
対象空間を空気調和する運転を行う複数の室内機と、
該複数の室内機のうち、運転に係る前記室内機に室外機能力を供給する室外機とを配管接続して冷媒回路を構成し、
前記室内機の運転を監視し、運転中及び運転を行おうとする前記室内機における運転能力の合計である合計運転能力が前記室外機能力を超えるかどうかを判断する処理を行う冷媒使用量監視部と、
前記冷媒使用量監視部が前記合計運転能力が前記室外機能力を超えるものと判断すると、前記合計運転能力が前記室外機能力となるように前記室外機能力の配分に係る処理を行う冷媒分配量制御部と
を有する制御装置を備えることを特徴とする空気調和装置。
【請求項２】
前記冷媒分配量制御部は、運転中の前記室内機には前記運転能力を維持する前記室外機能力を配分し、運転を行おうとする前記室内機には、前記運転中の前記室内機に配分した以外の余剰分の前記室外機能力を配分する先優先制御を行うことを特徴とする請求項１に記載の空気調和装置。
【請求項３】
前記冷媒分配量制御部は、あらかじめ設定された前記室内機の優先順位に基づいて、前記運転を行う室内機に前記室外機能力を配分する個別優先度制御を行うことを特徴とする請求項１に記載の空気調和装置。
【請求項４】
前記冷媒分配量制御部は、前記運転を行う室内機に前記室外機能力を均等に配分する均等制御を行うことを特徴とする請求項１に記載の空気調和装置。
【請求項５】
前記制御装置は、前記室外機能力の配分によって通常の運転能力での運転ができない室内機に対して、前記室外機能力の配分に基づいて、設定温度範囲の上限値及び下限値の少なくとも一方を変更調整する設定温度範囲変更部をさらに有することを特徴とする請求項１〜請求項４のいずれか一項に記載の空気調和装置。
【請求項６】
前記室外機能力の配分によって通常の運転能力での運転ができない室内機の存在を示す表示を行う表示手段をさらに備えることを特徴とする請求項１〜請求項５のいずれか一項に記載の空気調和装置。
【発明の詳細な説明】
【技術分野】
【０００１】
本発明は空気調和装置に関するものである。
【背景技術】
【０００２】
近年、例えばビル等の建物に用いられるマルチ型空気調和装置は、室外機と、通信線を介して室外機に接続された１又は複数の室内機と、室外機と複数の室内機とを制御する制御装置と、通信線を介して室内機に接続された１又は複数のリモートコントローラ（以下、「リモコン」と称する）とを有して構成されているのが一般的である。制御装置は、例えば室外機に搭載されており、冷媒使用量監視部を備えている。
【０００３】
例えば、マルチ型空気調和装置において、経済的理由から全室内機の能力の和よりも能力が小さい室外機で装置を構成することがある。このときには、複数の室内機において通常の運転（１００％の能力で運転）を行うと室外機の能力を超過してしまうことがある。このような場合に、能力超過しない範囲で一部の室内機のみサーモＯＮとし、それ以外の室内機はサーモＯＮ待機となる制御を行っている空気調和装置が提案されている（例えば、特許文献１参照）。このとき、冷媒使用量監視部は、例えば、さらに運転を行おうとする室内機が、余剰分の室外機の能力範囲内（以下、「余り能力」と称する）に対して、１００％の空調運転ができる冷媒量を確保かどうかを判断し、１００％の運転ができる場合にのみ冷媒を分配（能力分配）するようにしている。また、能力超過するような運転指令の下で運転していることを警告表示するリモコン等を備えている。
【先行技術文献】
【特許文献】
【０００４】
【特許文献１】特開昭６３−２０７９４４号公報
【発明の概要】
【発明が解決しようとする課題】
【０００５】
上述したように、特許文献１に記載の空気調和装置では、室内機を運転すると室外機の能力を超過してしまう場合、能力超過しない範囲で一部の室内機のみサーモＯＮとし、それ以外の室内機はサーモＯＮ待機としている。このため、サーモＯＮ待機している室内機は、サーモＯＮ運転中の室内機がサーモＯＦＦ又は停止になることによって、サーモＯＮ運転に必要な１００％の能力が捻出されるまで、サーモＯＮすることができない。このため、装置全体の稼働率が不足しているにもかかわらず、室外機の余り能力を１００％活用できないという課題がある。
【０００６】
本発明は、上記の課題を解決するためになされたものであり、室外機の能力を有効に利用することができる空気調和装置を得ることを目的とする。
【課題を解決するための手段】
【０００７】
本発明に係る空気調和装置は、対象空間を空気調和する運転を行う複数の室内機と、複数の室内機のうち、運転に係る室内機に室外機能力を供給する室外機とを配管接続して冷媒回路を構成し、室内機の運転を監視し、運転中及び運転を行おうとする室内機における運転能力の合計である合計運転能力が室外機能力を超えるかどうかを判断する処理を行う冷媒使用量監視部と、冷媒使用量監視部が合計運転能力が室外機能力を超えるものと判断すると、合計運転能力が前記室外機能力となるように室外機能力の配分に係る処理を行う冷媒分配量制御部とを有する制御装置を備えるものである。
【発明の効果】
【０００８】
本発明によれば、制御部の冷媒使用量監視部が、運転中及び運転を行おうとする室内機における運転能力の合計である合計運転能力が室外機能力を超えるものと判断すると、冷媒分配量制御部が合計運転能力が室外機能力となるように室外機能力の配分に係る処理を行うようにしたので、室外機能力を余らせることなく有効な運転を行うことができる。
【図面の簡単な説明】
【０００９】
【図１】本発明の実施の形態１の空気調和装置の概略構成を示す図である。
【図２】先に運転している室内機優先の場合における通信手順のシーケンスを示す図である。
【図３】室内機ごとに個別優先度が設定されている場合における通信手順のシーケンスを示す図である。
【図４】室内機ごとに優先度順位設定されている場合における通信手順のシーケンスの別例を示す図である。
【図５】優先度が設定されていない場合における通信手順のシーケンスを示す図である。
【図６】制御装置５の処理動作のフローチャートを示す図である。
【図７】先優先制御に係る処理のフローチャートを示す図である。
【図８】個別優先度制御に係る処理のフローチャートを示す図である。
【図９】均等制御に係る処理のフローチャートを示す図である。
【発明を実施するための形態】
【００１０】
以下、本発明の実施の形態を図面に基づいて説明する。図１を含め、以下の図面において、同一の符号を付したものは、同一又はこれに相当するものであり、このことは、以下に記載する実施の形態の全文において共通することとする。また、以下の説明では、特に区別する必要がない場合には、符号に付したＡ、Ｂ等の添字を省略して説明する場合がある。そして、明細書全文に表わされている構成要素の形態は、あくまでも例示であって、明細書に記載された形態に限定されるものではない。
【００１１】
実施の形態１．
図１は本発明の実施の形態１の空気調和装置の概略構成を示す図である。本実施の形態の空気調和装置は、室外機１と複数の室内機２とを配管接続して冷媒回路を構成している。本実施の形態の空気調和装置は、３台の室内機２Ａ〜２Ｃを有し、室内機２Ａ〜２Ｃは室外機１に対してそれぞれ並列に配管接続しているものとする。室外機１は、例えば圧縮機、室外側熱交換器等を有し、室内機２が空調対象空間の暖房及び冷房を行うための能力（熱量）供給を、室内機２に冷媒を送ることにより行う。ここで、室内機２に供給可能な能力を、以下、室外機能力とする。また、室内機２は、絞り装置（減圧装置）、室内側熱交換器等を有し、室外機１から供給された能力に基づいて空調対象空間の暖房又は冷房を行う。ここで、室内機２が空調対象空間の暖房又は冷房に用いる能力を、以下、運転能力とする。リモコン３は、操作者が設定温度等の設定、指示等を、室内機２及び室外機１に行う入力手段となる。また、空調対象空間の温度等を表示する表示手段となる。本実施の形態では、３台のリモコン３Ａ〜３Ｃを有し、それぞれ室内機２Ａ〜２Ｃと通信可能に接続しているものとする。ここで、本実施の形態では、図１に示すように、室内機２の台数を３台、リモコン３の台数を３台とした例を示しているが、本発明における台数はこれに限ったことではない。
【００１２】
制御装置５は室外機１及び室内機２の動作を制御する。本実施の形態の制御装置５は、冷媒使用量監視部５ａ、優先度設定部５ｂ、冷媒分配量制御部５ｃ及び設定温度範囲変更部５ｄを有している。冷媒使用量監視部５ａは、室外機１が供給する室外機能力を基準とし、複数の室内機２における合計運転能力の監視処理を行う。優先度設定部５ｂは、ユーザー（利用者）等がリモコン３を介して行う指示等に基づいて、複数の室内機２の運転における優先順位（優先度）の設定処理を行う。冷媒分配量制御部５ｃは、例えば、優先度設定部５ｂが設定処理した優先度に基づいて、室内機２のうち、運転中に係る室内機２（運転中又は運転しようとする室内機２）が空調対象空間の冷暖房のために使用する冷媒量（冷媒使用量）を決定して分配する分配制御処理を行う（ここでは、能力配分として記載する）。ここで、室外機１に対して、各室内機２は並列の接続関係にあり、室内機２への冷媒量の分配は、室外機能力の配分と等価となる。そして、分配された冷媒量は、室内機２における運転能力となる。設定温度範囲変更部５ｄは、冷媒分配量制御部５ｃが決定した冷媒量に基づいて、室内機２の設定温度範囲の変更処理を行う。
【００１３】
次に、本実施の形態における制御装置５の優先度に係る処理動作について説明する。運転させたい室内機２の合計運転能力が室外機能力を超過してしまう場合のために、ユーザーはあらかじめ優先度を設定しておく。優先度に係る指示の入力は、例えばリモコン３のうち、１台を選んで行う。ここで、例えば、空気調和装置内に、装置全体の動作を制御するようなリモコン（図示なし）がある場合は、そのリモコンから設定するようにしてもよい。また、優先度の設定は必ずしも行わなくてもよい。
【００１４】
制御装置５の優先度設定部５ｂは、リモコン３からの入力に基づいて、優先度の設定処理を行う。優先度は、先に運転している室内機２を優先する設定を行う場合と、室内機２ごとに優先度順位設定をする場合とから選択して設定することができる。先に運転している室内機２を優先する設定を行う場合、ユーザーは詳細な数値の設定を行う必要はない。一方、室内機２ごとに優先度順位設定をする場合は、例えば室外機能力を基準として、運転させようとする各室内機２に対して、Ｘ％（パーセント）で指定で入力することで優先度を決定する。例えば、運転させたい室内機２が３台の場合、優先度設定部５ｂは、ユーザーが入力するＸ％＝Ｘ１％、Ｘ２％、Ｘ３％の３つの数値を設定処理する。
【００１５】
制御装置５の冷媒使用量監視部５ａは運転開始時を含め、運転中、常時、室内機２冷媒使用量（運転能力）を監視する。室外機１の室外機能力内で室内機２が運転中に、運転中でなかった他の室内機２が運転を行うことで、合計運転能力が室外機能力を超過してしまうと判断すると、優先度設定部５ｂが設定処理した優先度にしたがって、冷媒分配量制御部５ｃが冷媒分配量（室外機能力の配分）を決定する。
【００１６】
ここで、優先度設定部５ｂにより設定された優先度が、先に運転している室内機優先の場合には、先に運転中の室内機２の運転を妨げることなく、運転を行うと室外機能力を超えると判断した室内機２に対して、余り能力（室外機能力の余剰分）を配分する制御（先優先制御）を行う。
【００１７】
図２は先に運転している室内機優先の場合における通信手順のシーケンスを示す図である。冷媒分配量制御部５ｃは、該当する室内機２の運転能力に対する余っている室外機能力の比率を％（パーセント）で換算し、運転能力指令Ｙ％の指示を含む信号（運転能力指令Ｙ％信号）を室内機２に送る。ここで、室外機１の室外機能力をＰ１、室内機２Ａの運転能力をｐ２、室内機２Ｂの運転能力をｐ３、室内機２Ｃの運転能力をｐ４とする。例えば、室外機能力Ｐ１内で室内機２Ａ、室内機２Ｂが運転中に、室内機２Ｃを運転することで能力が超過するとき、Ｙ＝（Ｐ１−ｐ２−ｐ３）×１００／ｐ４となる。
【００１８】
運転能力Ｙ％で運転する室内機２Ｃは、運転能力１００％の運転ができないため、制御装置５の設定温度範囲変更部５ｄは、例えば冷房運転時には、室内機２Ｃが運転能力Ｙ％で運転可能な設定温度に下限値を上げる範囲に変更処理する。また、暖房運転時には、室内機２Ｃが運転能力Ｙ％で運転可能な設定温度に上限値を下げる範囲に変更処理する。さらに、冷暖自動運転時には、実制御が冷房時には上述した冷房運転時の設定温度に下限値を上げる範囲に変更処理する。実制御が暖房時には上述した暖房運転時の設定温度に上限値を下げる範囲に変更処理する。したがって、冷房運転、暖房運転のいずれの場合でも、設定温度範囲を変更することで、運転能力が１００％未満の運転ではあるが、運転させたいすべての室内機２をサーモＯＮすることができる。
【００１９】
設定温度範囲変更部５ｄは、図２に示すように、設定温度範囲の変更指示を含む信号（設定温度範囲変更信号）を室内機２Ｃに送信する。また、室内機２Ｃは、リモコン３Ｃに対して、設定温度範囲変更信号を送る。さらに、運転能力を制限していることを表示させる信号（能力制限中表示信号）を送る。リモコン３は、ユーザーが設定できる設定温度範囲を変更したうえで、リモコン３に能力制限中であることを表示する。
【００２０】
次に、優先度設定部５ｂにより設定された優先度が、室内機ごとに優先度順位設定されている場合には、運転させたい室内機２に室外機１が供給する室外機能力を優先度順に配分する（個別優先度制御）を行う。
【００２１】
図３は室内機ごとに個別優先度が設定されている場合における通信手順のシーケンスを示す図である。冷媒分配量制御部５ｃは、ユーザーからの指示に基づいて、優先度設定部５ｂの設定処理により各室内機２に事前に設定した室外機能力の配分比率を％（パーセント）で換算し、運転能力指令Ｘ％の指示を含む信号（運転能力指令Ｘ％信号）を室内機２に送る。ここで、Ｘが１００（本来の運転能力での運転）の場合、Ｘ％＝Ｘ１００％と表す。Ｘが１００未満の場合、Ｘ％＝Ｘ０％と表す。図３においては、室内機２Ａ及び室内機２ＢにはＸ１００％が設定され、室内機２ＣにはＸ０％が設定されている。ここで、Ｘ１００％が設定される室内機２の合計運転能力が室外機能力を超えないように、設定の際にあらかじめ調整しておく。
【００２２】
運転能力Ｘ１００％で運転する室内機２Ａ及び室内機２Ｂは、本来の運転能力である１００％の運転能力で通常の運転を行うことができる。一方、運転能力Ｘ０％で運転する室内機２Ｃは、運転能力１００％の運転ができないため、制御装置５の設定温度範囲変更部５ｄは、例えば冷房運転時には、室内機２Ｃが運転能力Ｘ％で運転可能な設定温度に下限値を上げる範囲に変更処理する。また、暖房運転時には、室内機２Ｃが運転能力Ｘ％で運転可能な設定温度に上限値を下げる範囲に変更処理する。さらに、冷暖自動運転時には、実制御が冷房時には上述した冷房運転時の設定温度に下限値を上げる範囲に変更処理する。実制御が暖房時には上述した暖房運転時の設定温度に上限値を下げる範囲に変更処理する。したがって、冷房運転及び暖房運転のいずれの場合でも、設定温度範囲を変更することで、運転能力が１００％未満の運転ではあるが、運転させたいすべての室内機２をサーモＯＮすることができる。
【００２３】
設定温度範囲変更部５ｄは、図３に示すように、設定温度範囲変更信号を室内機２Ｃに送信する。また、室内機２Ｃは、リモコン３Ｃに対して、設定温度範囲変更信号を送る。さらに、能力制限中表示信号を送る。リモコン３は、ユーザーが設定できる設定温度範囲を変更したうえで、リモコン３に能力制限中であることを表示する。
【００２４】
図４は室内機ごとに優先度順位設定されている場合における通信手順のシーケンスの別例を示す図である。図４においては、室内機２Ａ、室内機２Ｂ及び室内機２ＣにはＸ０％が設定されている。したがって、冷媒使用量監視部５ａが合計運転能力が室外機能力を超過してしまうと判断すると、冷媒分配量制御部５ｃ及び設定温度範囲変更部５ｄは、すべての室内機２に対して、運転能力指令Ｘ％信号及び設定温度範囲変更信号を送る。また、室内機２Ａ〜２Ｃは、リモコン３Ａ〜３Ｃに、それぞれ設定温度範囲変更信号及び能力制限中表示信号を送る。
【００２５】
さらに、優先度設定部５ｂにより設定された優先度が、先に運転している室内機優先でなく、個別優先度の順位の設定もない場合等、優先度が設定されていない場合について説明する。このような場合には、運転させたい室内機２に室外機１が供給する室外機能力を運転に係る室内機２の運転能力に応じて均等の比率（割合）で配分する。
【００２６】
図５は優先度が設定されていない場合における通信手順のシーケンスを示す図である。冷媒分配量制御部５ｃは、運転させたいすべての室内機２の合計運転能力に対する室外機能力の比率を％（パーセント）で換算し、運転能力指令Ｚ％の指示を含む信号（運転能力指令Ｚ％信号）を室内機２に送る。ここで、室外機１の室外機能力をＰ１、室内機２Ａの運転能力をｐ２、室内機２Ｂの運転能力をｐ３、室内機２Ｃの運転能力をｐ４とする。例えば、室外機能力Ｐ１内で室内機２Ａ、室内機２Ｂが運転中に、室内機２Ｃを運転することで能力が超過するとき、Ｚ＝Ｐ１×１００／（ｐ１＋ｐ２＋ｐ３）となる。
【００２７】
運転能力Ｚ％で運転する室内機２Ａ〜２Ｃは、運転能力１００％の運転ができないため、制御装置５の設定温度範囲変更部５ｄは、例えば冷房運転時には、室内機２Ａ〜２Ｃが運転能力Ｚ％で運転可能な設定温度に下限値を上げる範囲に変更処理する。また、暖房運転時には、室内機２Ａ〜２Ｃが運転能力Ｚ％で運転可能な設定温度に上限値を下げる範囲に変更処理する。さらに、冷暖自動運転時には、実制御が冷房時には上述した冷房運転時の設定温度に下限値を上げる範囲に変更処理する。実制御が暖房時には上述した暖房運転時の設定温度に上限値を下げる範囲に変更処理する。したがって、冷房運転及び暖房運転のいずれの場合でも、設定温度範囲を変更することで、運転能力が１００％未満の運転ではあるが、運転させたいすべての室内機２をサーモＯＮすることができる。
【００２８】
図６は制御装置５の処理動作のフローチャートを示す図である。制御装置５が処理を開始すると、室内機２からの運転指令に基づいて、合計運転能力が室外機能力を超過してしまう運転指令がなされたかどうかを判断する（ステップＳ２０１）。合計運転能力が室外機能力を超過しないと判断すると処理を終了する。
【００２９】
一方、合計運転能力が室外機能力を超過すると判断すると、優先度設定部５ｂにより設定された優先度があるかどうかを判断する（ステップＳ２０２）。優先度があると判断すると、先に運転している室内機優先の設定がなされているかどうかを判断する（ステップＳ２０３）。先に運転している室内機優先の設定がなされていると判断すると、先優先制御を行う（ステップＳ２０４）。一方、先に運転している室内機優先の設定がなされていないと判断すると、個別優先度制御を行う（ステップＳ２０５）。さらに、ステップＳ２０２において、優先度設定部５ｂにより設定された優先度がないものと判断すると、均等制御を行う（ステップＳ２０６）。
【００３０】
図７は先優先制御に係る処理のフローチャートを示す図である。先優先制御を開始すると、運転を行うと室外機能力を超えると判断した室内機２（後から運転指令を受けた室内機２）に対して、前述したように、余り能力（室外機能力の余剰分）を配分する（ステップＳ３０１）。
【００３１】
そして、設定温度範囲変更部５ｄは、冷房運転（冷暖房運転において実制御が冷房運転である場合も含む）であるかどうかを判断する（ステップＳ３０２）。冷房運転であると判断すると、運転能力１００％の運転を行うことができない室内機２に対して設定温度の下限値を上げる範囲に変更処理する（ステップＳ３０３）。冷房運転でない（暖房運転である）と判断すると、運転能力１００％の運転を行うことができない室内機２に対して設定温度の上限値を下げる範囲に変更処理する（ステップＳ３０４）。
【００３２】
設定温度範囲変更部５ｄは、設定温度範囲変更信号を温度範囲を変更する室内機２に送信する（ステップＳ３０５）。また、室内機２は、リモコン３に設定温度範囲変更信号及び能力制限中表示信号をリモコン３に送る（ステップＳ３０６）。そして、リモコン３はユーザーが設定できる設定温度範囲を変更したうえで、リモコン３に能力制限中であることを表示する（ステップＳ３０７）。
【００３３】
図８は個別優先度制御に係る処理のフローチャートを示す図である。個別優先度制御を開始すると、前述したように、あらかじめ設定された優先度順に室外機能力を配分する（ステップＳ４０１）。
【００３４】
そして、設定温度範囲変更部５ｄは、冷房運転（冷暖房運転において実制御が冷房運転である場合も含む）であるかどうかを判断する（ステップＳ４０２）。冷房運転であると判断すると、運転能力１００％の運転を行うことができない室内機２に対して設定温度の下限値を上げる範囲に変更処理する（ステップＳ４０３）。冷房運転でない（暖房運転である）と判断すると、運転能力１００％の運転を行うことができない室内機２に対して設定温度の上限値を下げる範囲に変更処理する（ステップＳ４０４）。
【００３５】
設定温度範囲変更部５ｄは、設定温度範囲変更信号を温度範囲を変更する室内機２に送信する（ステップＳ４０５）。また、室内機２は、リモコン３に設定温度範囲変更信号及び能力制限中表示信号をリモコン３に送る（ステップＳ４０６）。そして、リモコン３はユーザーが設定できる設定温度範囲を変更したうえで、リモコン３に能力制限中であることを表示する（ステップＳ４０７）。
【００３６】
図９は均等制御に係る処理のフローチャートを示す図である。均等制御を開始すると、前述したように、運転を行う室内機２に均等に室外機能力を配分する（ステップＳ５０１）。
【００３７】
そして、設定温度範囲変更部５ｄは、冷房運転（冷暖房運転において実制御が冷房運転である場合も含む）であるかどうかを判断する（ステップＳ５０２）。冷房運転であると判断すると、運転能力１００％の運転を行うことができない室内機２に対して設定温度の下限値を上げる範囲に変更処理する（ステップＳ５０３）。冷房運転でない（暖房運転である）と判断すると、運転能力１００％の運転を行うことができない室内機２に対して設定温度の上限値を下げる範囲に変更処理する（ステップＳ５０４）。
【００３８】
設定温度範囲変更部５ｄは、設定温度範囲変更信号を温度範囲を変更する室内機２に送信する（ステップＳ５０５）。また、室内機２は、リモコン３に設定温度範囲変更信号及び能力制限中表示信号をリモコン３に送る（ステップＳ５０６）。そして、リモコン３はユーザーが設定できる設定温度範囲を変更したうえで、リモコン３に能力制限中であることを表示する（ステップＳ５０７）。
【００３９】
以上のように、本実施の形態の空気調和装置によれば、冷媒使用量監視部５ａが室内機２の運転を監視し、運転中及び運転しようとする室内機２における合計運転能力が室外機能力を超過すると判断すると、冷媒分配量制御部５ｃが室外機能力の配分（冷媒量の分配）処理を行い、室外機能力を余すことなく配分するようにしたので、室外機能力を余らせることなく有効な運転を行うことができる。例えば普段は使用頻度の低い部屋の室内機を運転させる必要となった場合、優先度を設定することで室外機能力を配分し、他に運転中の室内機２をサーモＯＦＦさせることなく、該当部屋の対象室内機をサーモＯＮ運転することで、室外機能力を１００％利用することができ、快適性をより迅速に提供することができる。また、例えば空調対象が対人／対物で一時的に変更が必要となり、能力制限を変更したい場合、室外機能力の配分の優先度を変更することで対応することができる。
【００４０】
また、先優先制御による室外機能力の配分を行うようにすることで、運転中の室内機２の運転能力を損なわずに、室外機能力の余剰分を運転しようとする室内機２に配分することができる。さらに、個別優先度制御による室外機能力の配分を行うようにすることで、合計運転能力が室外機能力を超過すると判断したときに、所望する優先順に室内機を運転することができる。そして、均等制御による室外機能力の配分を行うようにすることで、運転中又は運転を行おうとするすべての室内機２が運転を行うことができる。
【００４１】
また、通常の運転能力での運転ができない室内機２のリモコン３に能力制限中であることを表示するようにしたので、通常運転での運転でないことをわかりやすくすることができる。
【００４２】
実施の形態２．
上述の実施の形態１の均等制御では、同じ比率（割合）で室外機能力の配分を行うようにしたが、例えば、運転に係る室内機２の台数で割ることで、室外機能力（冷媒使用量）を同じにして配分するようにしてもよい。
【００４３】
実施の形態３．
上述の実施の形態では、通常の運転能力での運転ができない室内機２と通信接続するリモコン３に表示させるようにしたが、特に限定するものではなく、例えば、集中管理している装置が有する表示手段に表示させる等してもよい。
【符号の説明】
【００４４】
１  室外機、２，２Ａ，２Ｂ，２Ｃ  室内機、３，３Ａ，３Ｂ，３Ｃ  リモコン、５  制御装置、５ａ  冷媒使用量監視部、５ｂ  優先度設定部、５ｃ  冷媒分配量制御部、５ｄ  設定温度範囲変更部。
【図１】
2014219152.tif 000003
【図２】
2014219152.tif 000004
【図３】
2014219152.tif 000005
【図４】
2014219152.tif 000006
【図５】
2014219152.tif 000007
【図６】
2014219152.tif 000008
【図７】
2014219152.tif 000009
【図８】
2014219152.tif 000010
【図９】
2014219152.tif 000011